(57)【要約】【課題】コンソールを有しない端末に対して容易にアドレスを設定することのできる端末のアドレス設定方法を提供する。【解決手段】コンソールを有しない端末３００Ａ（３００Ｂ，３００Ｃ，３００Ｄ）がネットワーク１０２に対してブロードキャストによりアドレス要求を行い、仮サーバ１０１がネットワーク１０２を介してアドレス要求を受信し、仮サーバ１０１がネットワーク１０２を介してアドレス要求に対するアドレスを端末３００Ａ（３００Ｂ，３００Ｃ，３００Ｄ）に送信し、端末３００Ａ（３００Ｂ，３００Ｃ，３００Ｄ）がネットワーク１０２を介してアドレスを仮サーバ１０１から受信し登録することにより設定する。したがって、コンソールを有しない端末に対して容易にアドレスを設定することができる。【選択図】図２
2006319667.tif 000002
【特許請求の範囲】
【請求項１】
構内通信システムにおける端末のアドレス設定方法であって、
前記端末がネットワークに対してブロードキャストによりアドレス要求を行うアドレス要求ステップと、
仮サーバが前記ネットワークを介して前記アドレス要求を受信するアドレス要求受信ステップと、
前記仮サーバが前記ネットワークを介して前記アドレス要求に対するアドレスを前記端末に送信するアドレス送信ステップと、
前記端末が前記ネットワークを介して前記アドレスを前記仮サーバから受信し登録することにより前記アドレスを設定するアドレス設定ステップと、
を備える端末のアドレス設定方法。
【請求項２】
前記端末は、該端末の入出力端子に接続されたスピーカを有する請求項１に記載の端末のアドレス設定方法。
【請求項３】
前記端末は、設定された前記アドレスを確認するためのアドレス確認手段を有する請求項１又は２に記載の端末のアドレス設定方法。
【請求項４】
ネットワークに接続された少なくとも一つの端末と、前記ネットワークに接続されたサーバによって構成される端末のアドレス設定装置であって、
前記端末は、前記ネットワークを経由して前記サーバにアドレスを要求するアドレス要求部と、前記ネットワークを経由して前記サーバから送信されたアドレスを記憶するアドレス記憶部とから構成され、
前記サーバは、前記端末に設定するアドレスを保持するアドレス表を有し、前記端末からのアドレス要求に対して、前記アドレス表に保持されたアドレスを前記ネットワークを経由して前記端末に送信する端末のアドレス設定装置。
【請求項５】
前記端末は、音声を入出力する音声入出力部と、入力音声の周波数を分離する周波数分離手段と、複数の周波数の音声の組み合わせからなる特定音声を保持するアドレス要求判定手段とを有し、
前記アドレス要求判定手段は、前記音声入出力部から入力された前記周波数分離手段によって分離された音声が、前記アドレス要求判定手段の保持する特定音声と等しいとき、前記アドレス要求部にアドレス要求を行わせる請求項４に記載の端末のアドレス設定装置。
【請求項６】
ネットワークに接続されたサーバと、前記ネットワークに接続され予め平面上の決められた位置に設置された３つ以上の音声出力手段と、前記ネットワークに接続され前記平面上に設置された音声入力手段によって構成される端末のアドレス設定装置であって、
前記音声入力手段は、前記平面上の位置とアドレスの対応関係を記録した対応表を保持し、
前記音声出力手段及び前記音声入力手段は、各々前記音声出力手段から発生される制御音声の発生順を記録した制御音声発生順番表を有し、
前記サーバは、制御音声の発生を促す制御音声発生メッセージを前記ネットワークに対して送信し、
前記音声出力手段は、前記音声発生メッセージを受け取った際、前記制御音声発生順番表に従って制御音声を発生し、
前記音声入力手段は、前記制御音声を受信した際、前記制御音声発生順番表に基づいて前記音声出力手段を特定し、
前記音声発生メッセージの受信時刻と前記制御音声の受信時刻の差から、前記音声出力手段との距離を求めることにより、前記平面上の位置を求め、
前記対応表に基づいてアドレスを設定する端末のアドレス設定装置。
【発明の詳細な説明】
【技術分野】
【０００１】
本発明は、構内通信システムにおいて構内に設置されたコンソールを有しない複数の端末にアドレスを設定する端末のアドレス設定方法及びアドレス設定装置に関する。
【背景技術】
【０００２】
近年、構内に設置されたＩＰネットワーク端末を通じて、構内放送やＶＯＤサービスなどのマルチメディア伝送を行う構内伝送システムが提供されている。これらのマルチメディア通信を行うためのプロトコルとして、ＶｏＩＰやＨ．３２３などの標準化されたプロトコルが用いられている。
【０００３】
しかし、ＩＰ上で用いる通信プロトコルを使用するにあたっては、管理対象となる端末全てに異なるＩＰアドレスを設定しなければならない。
【０００４】
ＩＰアドレスを端末側からの操作なしで設定するための方法としてよく知られているものとしては、起動時にＤＨＣＰサーバからアドレスを取得するという方法がある。
【０００５】
その他の設定方法としても、ＩＤ設定スイッチを用いて設定する方法（例えば、特許文献１参照）、端末側で競合アドレスを確認して設定する方法（例えば、特許文献２参照）、ＭＡＣアドレスと対応してサーバで設定する方法（例えば、特許文献３参照）がある。
【０００６】
【特許文献１】特開２００４−１５３３４６号公報（第４−７頁、図１）
【特許文献２】特開２００４−１９３６４３号公報（第３−５頁、図１）
【特許文献３】特開２００４−２０６２２３号公報（第１０−１４頁、図１）
【発明の開示】
【発明が解決しようとする課題】
【０００７】
しかしながら、ＤＨＣＰなどの自動設定の方法では、意図したＩＰアドレスが設定される場所が分からないという問題があった。また、ＭＡＣアドレスと対応してサーバで設定する方法では、各端末のＭＡＣアドレスの所在を確認しておかなければならず、設置工事性に問題があった。別にＩＤ設定スイッチを用いるという方法では、そのスイッチのスペースが必要であったり、設置工事の時点での操作が必要であったりするという問題があった。
【０００８】
また、設定が誤っていたり設定されていなかった場合、誤ったものを捜すことが困難であり、全ての端末を確認し直さなければならないこともあった。
【０００９】
本発明は、上述した従来の問題を解決するためになされたものであり、コンソールを有しない端末に対して容易にアドレスを設定することのできる端末のアドレス設定方法及びアドレス設定装置を提供することを目的とする。
【課題を解決するための手段】
【００１０】
上記目的は下記方法及び構成により達成される。
（１）  構内通信システムにおける端末のアドレス設定方法であって、前記端末がネットワークに対してブロードキャストによりアドレス要求を行うアドレス要求ステップと、仮サーバが前記ネットワークを介して前記アドレス要求を受信するアドレス要求受信ステップと、前記仮サーバが前記ネットワークを介して前記アドレス要求に対するアドレスを前記端末に送信するアドレス送信ステップと、前記端末が前記ネットワークを介して前記アドレスを前記仮サーバから受信し登録することにより前記アドレスを設定するアドレス設定ステップと、を備える。
【００１１】
この方法により、端末がネットワークに対してブロードキャストによりアドレス要求を行い、仮サーバがネットワークを介してアドレス要求を受信し、仮サーバがネットワークを介してアドレス要求に対するアドレスを端末に送信し、端末がネットワークを介してアドレスを仮サーバから受信し登録することにより設定するので、コンソールを有しない端末に対して容易にアドレスを設定することができる。
【００１２】
（２）  上記（１）に記載の端末のアドレス設定方法において、前記端末は、該端末の入出力端子に接続されたスピーカを有する。
【００１３】
この方法により、端末は、該端末の入出力端子に接続されたスピーカを有するので、スピーカに音圧を与えることによってアドレス要求を行うことができる。
【００１４】
（３）  上記（１）又は（２）に記載の端末のアドレス設定方法において、前記端末は、設定された前記アドレスを確認するためのアドレス確認手段を有する。
【００１５】
この方法により、端末は、設定されたアドレスを確認するためのアドレス確認手段を有するので、設定されたアドレスを音声又は表示によってユーザに確認させることができる。
【００１６】
（４）  ネットワークに接続された少なくとも一つの端末と、前記ネットワークに接続されたサーバによって構成される端末のアドレス設定装置であって、前記端末は、前記ネットワークを経由して前記サーバにアドレスを要求するアドレス要求部と、前記ネットワークを経由して前記サーバから送信されたアドレスを記憶するアドレス記憶部とから構成され、前記サーバは、前記端末に設定するアドレスを保持するアドレス表を有し、前記端末からのアドレス要求に対して、前記アドレス表に保持されたアドレスを前記ネットワークを経由して前記端末に送信する。
【００１７】
この構成により、端末は、ネットワークを経由してサーバにアドレスを要求するアドレス要求部と、ネットワークを経由してサーバから送信されたアドレスを記憶するアドレス記憶部とから構成され、サーバは、端末に設定するアドレスを保持するアドレス表を有し、端末からのアドレス要求に対して、アドレス表に保持されたアドレスをネットワークを経由して端末に送信するので、コンソールを有しない端末に対して容易にアドレスを設定することができる。
【００１８】
（５）  上記（４）に記載の端末のアドレス設定装置において、前記端末は、音声を入出力する音声入出力部と、入力音声の周波数を分離する周波数分離手段と、複数の周波数の音声の組み合わせからなる特定音声を保持するアドレス要求判定手段とを有し、前記アドレス要求判定手段は、前記音声入出力部から入力された前記周波数分離手段によって分離された音声が、前記アドレス要求判定手段の保持する特定音声と等しいとき、前記アドレス要求部にアドレス要求を行わせる。
【００１９】
この構成により、アドレス要求判定手段は、音声入出力部から入力された周波数分離手段によって分離された音声が、アドレス要求判定手段の保持する特定音声と等しいとき、アドレス要求部にアドレス要求を行わせるので、適切にアドレス要求を行うことができる。
【００２０】
（６）  ネットワークに接続されたサーバと、前記ネットワークに接続され予め平面上の決められた位置に設置された３つ以上の音声出力手段と、前記ネットワークに接続され前記平面上に設置された音声入力手段によって構成される端末のアドレス設定装置であって、前記音声入力手段は、前記平面上の位置とアドレスの対応関係を記録した対応表を保持し、前記音声出力手段及び前記音声入力手段は、各々前記音声出力手段から発生される制御音声の発生順を記録した制御音声発生順番表を有し、前記サーバは、制御音声の発生を促す制御音声発生メッセージを前記ネットワークに対して送信し、前記音声出力手段は、前記音声発生メッセージを受け取った際、前記制御音声発生順番表に従って制御音声を発生し、前記音声入力手段は、前記制御音声を受信した際、前記制御音声発生順番表に基づいて前記音声出力手段を特定し、前記音声発生メッセージの受信時刻と前記制御音声の受信時刻の差から、前記音声出力手段との距離を求めることにより、前記平面上の位置を求め、前記対応表に基づいてアドレスを設定する。
【００２１】
この構成により、音声入力手段は、平面上の位置とアドレスの対応関係を記録した対応表を保持し、音声出力手段及び音声入力手段は、各々音声出力手段から発生される制御音声の発生順を記録した制御音声発生順番表を有し、サーバは、制御音声の発生を促す制御音声発生メッセージをネットワークに対して送信し、音声出力手段は、音声発生メッセージを受け取った際、制御音声発生順番表に従って制御音声を発生し、音声入力手段は、制御音声を受信した際、制御音声発生順番表に基づいて音声出力手段を特定し、音声発生メッセージの受信時刻と制御音声の受信時刻の差から、音声出力手段との距離を求めることにより、平面上の位置を求め、対応表に基づいてアドレスを設定するので、コンソールを有しない端末に対して容易にアドレスを設定することができる。
【発明の効果】
【００２２】
本発明は、端末がネットワークに対してブロードキャストによりアドレス要求を行い、仮サーバがネットワークを介してアドレス要求を受信し、仮サーバがネットワークを介してアドレス要求に対するアドレスを端末に送信し、端末がネットワークを介してアドレスを仮サーバから受信し登録することにより設定するので、コンソールを有しない端末に対して容易にアドレスを設定することができるという効果を有する端末のアドレス設定方法を提供することができるものである。
【発明を実施するための最良の形態】
【００２３】
以下、本発明の実施の形態について、図面を用いて詳細に説明する。
【００２４】
（実施の形態１）
図１は、本発明の実施の形態１に係る端末のアドレス設定方法を実現するためのシステムの構成を示すブロック図である。図１において、このシステムは、１０１号室に設置された端末３００Ａと、１０２号室に設置された端末３００Ｂと、１０３号室に設置された端末３００Ｃと、１０４号室に設置された端末３００Ｄと、ネットワーク１０２を介して各端末に対してアドレスを付与する仮サーバ１０１とを備えている。
【００２５】
図３は、本実施の形態に係る端末のアドレス設定方法を実現するための各端末の構成を示すブロック図である。図３において、端末３００Ａ（３００Ｂ，３００Ｃ，３００Ｄ）は、映像や音声などの出力信号を生成する出力信号生成部３０１と、出力信号生成部３０１が接続された出力端子３０５と、アドレス要求判定を行うアドレス要求判定部３０２と、アドレス要求判定部３０２が接続されたアドレス要求端子３０６及びアドレス要求を行うアドレス要求部３０３と、アドレス要求部３０３が接続されたネットワーク１０２との間のインタフェースであるネットワークＩ／Ｆ部３０８及び受信したアドレスを記憶する不揮発性メモリからなるアドレス記憶部３０４と、ネットワークＩ／Ｆ部３０８が接続されたネットワーク端子３０７とを備えている。
【００２６】
図２は、本実施の形態に係る端末のアドレス設定方法を説明するためのフローチャートである。図２において、アドレス付与前に、仮サーバ１０１は、予め端末３００Ａ〜３００Ｄに付与すべき順序通りに、端末アドレス表事前登録を行っておく（ステップＳ２１１）。不図示の端末アドレス表は、端末に付与すべきアドレスが順に並んだものとなっている。
【００２７】
端末３００Ａ〜３００Ｄをそれぞれの部屋に設置後、端末３００Ａは、所定の端末アドレス要求操作を行うことにより（ステップＳ２０１）、ネットワーク１０２に対してブロードキャストによリアドレス要求を行う（ステップＳ２０２）。このとき、ネットワーク端子３０７から出力される要求信号は、端末３００Ａ〜３００Ｄすべて同じであっても良い。仮サーバ１０１は、ネットワーク１０２を介してこのアドレス要求を受信することにより（ステップＳ２１２）、上記端末アドレス表によりアドレス配布（送信）を行う（ステップＳ２１３）と同時に、配布済みポインタを加算して（ステップＳ２１４）、上記端末アドレス表の参照箇所を変更する。このようにして、上記端末アドレス表に並んでいるアドレスが、順番に使用されていく。
【００２８】
端末３００Ａは、ネットワーク１０２を介して仮サーバよりアドレスを受信し（ステップＳ２０３）、受信したアドレスをアドレス記憶部３０４に登録する（ステップＳ２０４）ことによりアドレス設定を完了する。
【００２９】
所定の端末アドレス要求操作（ステップＳ２０１）をアドレス要求端子３０６から行うという操作は、例えば、スイッチを用いるもの、専用マイクを用いるもの、電源スイッチとして起動時に行うもの、ネットワーク端子の接続を確認する制御信号を用いるもの、ハードウェアキー、接点入力などがある。
【００３０】
このような本実施の形態に係る端末のアドレス設定方法によれば、コンソールを有しない端末３００Ａ（３００Ｂ，３００Ｃ，３００Ｄ）がネットワーク１０２に対してブロードキャストによりアドレス要求を行い、仮サーバ１０１がネットワーク１０２を介してアドレス要求を受信し、仮サーバ１０１がネットワーク１０２を介してアドレス要求に対するアドレスを端末３００Ａ（３００Ｂ，３００Ｃ，３００Ｄ）に送信し、端末３００Ａ（３００Ｂ，３００Ｃ，３００Ｄ）がネットワーク１０２を介してアドレスを仮サーバ１０１から受信し登録することにより設定するので、コンソールを有しない端末に対して容易にアドレスを設定することができる。また、ユーザの意図通りの順序で各端末に対してアドレスを設定することができる。
【００３１】
（実施の形態２）
図４は、本発明の実施の形態２に係る端末のアドレス設定方法を実現するための各端末の構成を示すブロック図である。なお、図４において、上述した図３と共通する構成部分には同一符号を付してその説明を省略する。
【００３２】
図４においては、図３における出力端子３０５とアドレス要求端子３０６とを一体的に接続して入出力端子４０５とした点が異なっている。なお、出力端子３０５は、例えば、音声出力端子であったり、映像出力端子であったりするものであるが、端末にある端子であればこれらに制限されるものではない。
【００３３】
入出力端子４０５を映像信号用の端子として用いる場合には、この端子に接続できる形態の、映像信号に含まれない周波数成分の組み合わせによる信号を出力する不図示の信号発生器を用い、アドレス要求判定部３０２において周波数分離を行うことにより、実現することができる。
【００３４】
アドレス体系として、ＩＰアドレスを用いる場合の設定体系では、未設定時の自アドレスとして「０．０．０．０」を用いる場合と、その他の特定のアドレス値を用いる場合とで異なる動作を行う。
【００３５】
まず、「０．０．０．０」を用いる場合においては、仮サーバ１０１が、端末３００Ａ〜３００Ｄのいずれかから、ブロードキャストのアドレス要求を受け取ると同時に、端末３００Ａ〜３００Ｄの物理アドレスを受け取る。仮サーバ１０１は、要求のあった端末の物理アドレスに対して、折り返し新たに付与するＩＰアドレスを付加して送信する。これにより、端末３００Ａ〜３００Ｄは、自分の物理アドレスへ届いたＩＰアドレスを自ＩＰアドレスであると解することができるので、自分のＩＰアドレスとして記憶（登録）する。
【００３６】
次に、「０．０．０．０」以外のアドレス値を用いる場合について説明する。この場合も、端末３００Ａ〜３００Ｄは、仮サーバ１０１にブロードキャストでアドレス要求を行う。仮サーバ１０１の動作としては、このときに一旦端末３００Ａ〜３００Ｄの物理アドレスとＩＰアドレスの関連づけを取得する（ＡＲＰテーブル）が、この通信がアドレス要求通知であったと解釈し、アドレスを付与する際に、上記ＡＲＰテーブルに持っている関連づけを削除する。そして、要求のあった端末の物理アドレスに対して新たに付与するＩＰアドレスを付加して送信する。これにより、端末３００Ａ〜３００Ｄは、自分の物理アドレスへ届いたＩＰアドレスを自ＩＰアドレスであると解することができるので、自分のＩＰアドレスとして記憶する。ここで、仮サーバ１０１と端末３００Ａ〜３００Ｄは、設定前の時点でアドレスを持っているが、同一のアドレス体系であるとは限らない。異なったアドレス体系の場合には、それぞれ異ネットワーク空間であるとして通信を妨げないということが必要である。
【００３７】
（実施の形態３）
本発明の実施の形態３は、上述した実施の形態２における入出力端子４０５の部分にスピーカを接続して構成されている。スピーカは通常電力を音声に変換するものであるが、周波数特性に制限があるものの、音圧を電気信号に変換することができる。スピーカの一例として、松下電器産業（株）製ＷＳ−Ａ２２の場合は、おおよそ図５に示すような周波数特性で音圧を電気信号に変換することができる。ここで、図６に示すような設定入力装置６０１を用い、アドレス要求を行う。この設定入力装置６０１は、スイッチ６０２を操作することにより、スピーカ６０３から特定の周波数の音声、もしくは複数の周波数からなる音声の組み合わせである特定音声を発する。この特定音声はアドレス要求判定部３０２に記憶しておく。その周波数は、設定対象となるスピーカの周波数特性が、例えば図５に示したような特性であれば、５００Ｈｚ〜８ｋＨｚの範囲であることが望ましい。このときのアドレス要求判定部３０２（図４参照）は、不図示の周波数分離判定手段を用い、設定入力装置６０１の発する音声の周波数と特定音声の同一性を検出することによって、アドレス要求と判定する。
【００３８】
この構成により、スピーカを有する各端末において、個別のアドレス設定を行うことができる。
【００３９】
アドレス要求判定部３０２は、アドレス要求のみならず他の要求の分離も可能である。
例えば、上記スピーカを使用した場合であれば、周波数の組み合わせでアドレス要求の他に、確認要求を区別することができる。ここで、アドレスの設定が済んでいれば、スピーカにてアドレスを読み上げて確認を行う。また、映像出力が可能な機器であれば、設定済みのアドレスをディスプレイに表示することによって確認を行う。なお、アドレス要求の際に専用の信号発生器等の装置を端子に取り付けて使用する場合は、その装置にて設定済みのアドレスを表示するようにしても良い。
【００４０】
また、仮サーバ１０１においても、ディスプレイを接続することによって、アドレス付与を行った際に付与済みのＩＰアドレスと物理アドレスの対応関係の表示を行うようにしても良い。
【００４１】
これらの確認方法によって、付与（設定）の内容についての情報をユーザに与えることができ、設置作業性の改善を行うことができる。
【００４２】
アドレス要求判定部３０２は、要求の分離において、アドレス消去要求を取得した場合、既に設定済みのアドレスを消去し、未設定を意味するところの「０．０．０．０」もしくは工場出荷時に設定されているアドレスに戻すことができる。
【００４３】
これにより、設定を誤ったことに気がついた際に修正を容易に行うことができる。
【００４４】
（実施の形態４）
本発明の実施の形態４は、同一の平面上に設置された同じタイプのスピーカに平面上の位置に応じたアドレスを設定するものである。本発明の実施の形態４は、スピーカが接続された各端末が同一平面空間内に設置されている構成を有している。この場合、最低３台の端末にアドレスを設定することにより、残りの端末については、制御音声到達時間の差によりそれらを互いに区別することが可能となる。例えば、図７のように、スピーカ７０１〜７０３にアドレスが設定されており、スピーカ７１１〜７１６のアドレスが未設定の場合、例えばアドレス未設定スピーカは、スピーカ７０１〜７０３からの制御音声到達時間の差によって、自分自身がスピーカ７１１〜７１６のどれに対応するのかを区別することができる。このようにすることで、スピーカが接続された各端末が同一平面空間内に配置された場合においては、より短時間でのアドレス設定完了が可能となる。
【００４５】
実際の手順としては、各々のスピーカをネットワークに接続させておく。スピーカ７０１〜７０３は予め決められた位置に設定し、スピーカ７１１〜７１６は、スピーカの設置位置は決まっているが、順序は適当に設置する。スピーカ７０１〜７０３は、順に制御音声が発生されるものとし、その制御音声発生順序は不図示の制御音声発生順番表として、スピーカ７０１〜７０３、スピーカ７１１〜７１６に保持しておく。また、サーバには、スピーカ７１１の位置と設定されるべきアドレス、スピーカ７１２の位置と設定されるべきアドレス、というように、スピーカの平面上の位置と番号、アドレスの対応表を保持しておき、ネットワークを通じて、この対応表をスピーカ７１１〜７１６に送信しておく。
【００４６】
こうした状態で、サーバがネットワークに対して、制御音声を発生させるためのメッセージをブロードキャストによって３回送出する。スピーカ７０１〜７０３は制御音声発生順番表を保持しているので、制御音声を発生させるためのメッセージを受け取るたびにその回数を数え、自身の制御音声を発生する順になったら制御音声を発生させる。一方、スピーカ７１１〜７１６は、制御音声を発生させるためのメッセージを受け取った時刻から、制御音声を受け取った時刻までの差を求めることにより、音声発生源までの距離を求めることができる。また、それぞれ制御音声発生順番表を保持しているので、それぞれの制御音声を発生させたスピーカを特定することができる。
【００４７】
このような操作を３回繰り返せば、スピーカ７１１〜７１６はスピーカ７０１〜７０３までの距離を求めることができ、平面上の位置を知ることができる。そして、対応表を見ることにより、自らがスピーカ７１１〜７１６のどのスピーカの番号に対応するかを知ることができ、設定すべきアドレスを知ることもできる。この結果、スピーカ７１１〜７１６には、設定されるべきアドレスが設定されることになる。
【産業上の利用可能性】
【００４８】
本発明は、コンソールを有しない端末に対して容易にアドレスを設定することができるといった効果を有し、構内放送やＶＯＤサービスなどのマルチメディア伝送を行う構内伝送システムなどに用いて有用である。
【図面の簡単な説明】
【００４９】
【図１】本発明の実施の形態１に係る端末のアドレス設定方法を実現するためのシステムの構成を示すブロック図
【図２】本発明の実施の形態１に係る端末のアドレス設定方法を説明するためのフローチャート
【図３】本発明の実施の形態１に係る端末のアドレス設定方法を実現するための各端末の構成を示すブロック図
【図４】本発明の実施の形態２に係る端末のアドレス設定方法を実現するための各端末の構成を示すブロック図
【図５】本発明の実施の形態３に係る端末のアドレス設定方法を実現するために用いられるスピーカの周波数特性の一例を示す図
【図６】本発明の実施の形態３に係る端末のアドレス設定方法を実現するために用いられる設定入力装置の一例を示す斜視図
【図７】本発明の実施の形態４に係る端末のアドレス設定方法を説明するための模式図
【符号の説明】
【００５０】
１０１  仮サーバ
１０２  ネットワーク
３００Ａ〜３００Ｄ  端末
３０１  出力信号生成部
３０２  アドレス要求判定部
３０３  アドレス要求部
３０４  アドレス記憶部
３０５  出力端子
３０６  アドレス要求端子
３０７  ネットワーク端子
４０５  入出力端子
６０１  設定入力装置
６０２  スイッチ
６０３  スピーカ
７０１〜７０３  アドレス設定済スピーカ
７１１〜７１６  アドレス未設定スピーカ
【図１】
2006319667.tif 000003
【図２】
2006319667.tif 000004
【図３】
2006319667.tif 000005
【図４】
2006319667.tif 000006
【図５】
2006319667.tif 000007
【図６】
2006319667.tif 000008
【図７】
2006319667.tif 000009